Podtech/llm-jp-corpus-v4-ja_patent huggingface dataset:
【手続補正書】
【提出日】令和3年4月30日(2021.4.30)
【手続補正１】
【補正対象書類名】特許請求の範囲
【補正対象項目名】全文
【補正方法】変更
【補正の内容】
【特許請求の範囲】
【請求項１】
処理室内の静電チャックに載置された基板の近傍に設けられる内側エッジリングと、
前記内側エッジリングの外側に設けられ、移動機構により上下に移動が可能な中央エッジリングと、
前記中央エッジリングの外側に設けられる外側エッジリングとを有するエッジリングのクリーニング方法であって、
前記静電チャックに直流電圧を印加する工程と、
前記中央エッジリングを上又は下の少なくともいずれかに移動させる工程と、
を有するクリーニング方法。
【請求項２】
処理室内の載置台に載置された基板の近傍に設けられる内側エッジリングと、
前記内側エッジリングの外側に設けられ、移動機構により上下に移動が可能な中央エッジリングと、
前記中央エッジリングの外側に設けられる外側エッジリングとを有するエッジリングのクリーニング方法であって、
前記中央エッジリングの下部にクリーニングガスを供給する工程と、
前記中央エッジリングを上又は下の少なくともいずれかに移動させる工程と、
を有するクリーニング方法。
【請求項３】
前記内側エッジリングは、前記処理室内の静電チャックに載置された基板の近傍に設けられ、
前記静電チャックに直流電圧を印加する工程と、
前記中央エッジリングの下部にクリーニングガスを供給する工程と、
前記中央エッジリングを上又は下の少なくともいずれかに移動させる工程と、
を有する請求項１又は２に記載のクリーニング方法。
【請求項４】
前記クリーニングガスは不活性ガスである、
請求項２又は３のいずれか一項に記載のクリーニング方法。
【請求項５】
前記直流電圧を印加する工程において、前記静電チャックにプラスの電圧とマイナスの電圧とを交互に印加する、
請求項１に記載のクリーニング方法。
【請求項６】
前記直流電圧を印加する工程において、前記中央エッジリングに付着した付着物の種類によって、印加する前記直流電圧の極性を制御する、
請求項１又は５に記載のクリーニング方法。
【請求項７】
前記内側エッジリング及び／又は前記外側エッジリングは電極を備え、前記電極に直流電圧を印加する工程をさらに有する、
請求項１〜６のいずれか一項に記載のクリーニング方法。
【請求項８】
前記内側エッジリング及び／又は前記外側エッジリングは電極を備え、前記基板に対向する位置に設けられるシャワーヘッドと、前記電極とのいずれか１つ以上に直流電圧を印加する工程をさらに有する、
請求項１〜７のいずれか一項に記載のクリーニング方法。
【請求項９】
前記内側エッジリング及び／又は前記外側エッジリングは上下に移動可能であり、
前記内側エッジリング及び／又は前記外側エッジリングを上又は下の少なくともいずれかに移動させる工程をさらに有する、
請求項１〜８のいずれか一項に記載のクリーニング方法。
【請求項１０】
前記直流電圧を印加する工程の後、前記直流電圧の印加を開始してから所定時間経過したかを判定する工程をさらに有する、
請求項１、５及び６のいずれか一項に記載のクリーニング方法。
【請求項１１】
前記クリーニングガスをパージする工程をさらに有する、
請求項２〜４のいずれか一項に記載のクリーニング方法。
【請求項１２】
前記クリーニングガスを供給する工程の後、前記クリーニングガスの供給を開始してから所定時間経過したかを判定する工程をさらに有する、
請求項２〜４及び１１のいずれか一項に記載のクリーニング方法。
【請求項１３】
処理室内の静電チャックに載置された基板の近傍に設けられる内側エッジリングと、
前記内側エッジリングの外側に設けられ、移動機構により上下に移動が可能な中央エッジリングと、
前記中央エッジリングの外側に設けられる外側エッジリングとを有するエッジリングと、
制御部とを有する基板処理装置であって、
前記制御部は、
前記静電チャックに直流電圧を印加する工程と、
前記中央エッジリングを上又は下の少なくともいずれかに移動させる工程と、
を制御する、基板処理装置。
【手続補正書】
【提出日】令和3年5月7日(2021.5.7)
【手続補正１】
【補正対象書類名】特許請求の範囲
【補正対象項目名】全文
【補正方法】変更
【補正の内容】
【特許請求の範囲】
【請求項１】
画像フィルタ装置において、
輝度又は色差を画素値とする１又は複数の第１種の入力画像データが少なくとも入力され、輝度又は色差を画素値とする１又は複数の第１種の出力画像データを出力するニューラルネットワーク部と、
画像のブロック境界に応じて導出される強度の画像を生成するフィルタ強度画像生成部と、
を備え、
上記ニューラルネットワーク部には、上記フィルタ強度画像生成部が生成したフィルタ強度画像も入力される
ことを特徴とする画像フィルタ装置。
【請求項２】
上記フィルタ強度画像生成部は、上記１又は複数の第１種の入力画像データが入力され、当該第１種の入力画像データが示す画像のブロック境界に応じて上記強度を導出する請求項１に記載の画像フィルタ装置。
【手続補正書】
【提出日】令和3年5月13日(2021.5.13)
【手続補正１】
【補正対象書類名】特許請求の範囲
【補正対象項目名】全文
【補正方法】変更
【補正の内容】
【特許請求の範囲】
【請求項１】
光電変換により電荷を生じる光電変換部を各々が有し、複数の列を構成するように配された複数の画素と、
前記複数の列に対応して設けられ、各々が前記複数の画素の一部からの信号を受ける複数の列回路と、
前記複数の列回路の各々に接続された第１の共通制御線と、
前記複数の列回路を制御する制御部と、を有し、
前記複数の列回路の各々は、ゲインの切り替えが可能なアンプ回路と、前記アンプ回路に流れる電流を制御する第１のトランジスタと、を有し、
前記制御部は、前記アンプ回路が第１のゲインのときに前記第１のトランジスタが第１の電流値の電流を供給し、前記アンプ回路のゲインが前記第１のゲインよりも大きい第２のゲインのときに前記第１のトランジスタが前記第１の電流値よりも小さい第２の電流値の電流を供給するように、前記列回路を制御する
ことを特徴とする撮像装置。
【請求項２】
前記制御部は、前記第１の共通制御線を介して前記第１のトランジスタにバイアス電圧を供給し、前記バイアス電圧を変更することで前記第１のトランジスタの供給する電流の電流値を制御する
ことを特徴とする請求項１記載の撮像装置。
【請求項３】
前記複数の列回路の各々は、前記第１のトランジスタに供給される前記バイアス電圧を保持する第１のサンプルホールド回路を更に有する
ことを特徴とする請求項２記載の撮像装置。
【請求項４】
前記複数の列回路の各々に接続された第２の共通制御線を更に有し、
前記複数の列回路の各々は、前記第１のトランジスタにカスコード接続され、前記第２の共通制御線から供給されるバイアス電圧によって制御される第２のトランジスタを更に有する
ことを特徴とする請求項１乃至３のいずれか１項に記載の撮像装置。
【請求項５】
前記複数の列回路の各々は、前記第２のトランジスタに供給される前記バイアス電圧を保持する第２のサンプルホールド回路を更に有する
ことを特徴とする請求項４記載の撮像装置。
【請求項６】
前記複数の列回路の各々に接続された第３の共通制御線を更に有し、
前記複数の列回路の各々は、前記第２のトランジスタにカスコード接続され、前記第３の共通制御線から供給されるバイアス電圧によって制御される第３のトランジスタを更に有する
ことを特徴とする請求項４又は５記載の撮像装置。
【請求項７】
前記複数の列回路の各々は、複数の容量値を選択可能な入力容量と、複数の容量値を選択可能な帰還容量と、を含み、
前記入力容量の容量値と前記帰還容量の容量値との比を変更することにより、前記第１のゲインと前記第２のゲインとを切り替える
ことを特徴とする請求項１乃至６のいずれか１項に記載の撮像装置。
【請求項８】
前記アンプ回路が前記第１のゲインのときに、前記第１のトランジスタのゲートに第１のバイアス電圧Ｖα１が供給され、
前記アンプ回路が前記第２のゲインのときに、前記第１のトランジスタのゲートに第２のバイアス電圧Ｖα２が供給され、
前記第１のバイアス電圧Ｖα１、前記第２のバイアス電圧Ｖα２、及び、前記第１のトランジスタのソースの電圧ＶＤが、（ＶＤ−Ｖα２）＜（ＶＤ−Ｖα１）の関係を満たすように、前記制御部が前記第１のトランジスタに供給する前記バイアス電圧を制御する
ことを特徴とする請求項２に記載の撮像装置。
【請求項９】
請求項１乃至８のいずれか１項に記載の撮像装置と、
前記撮像装置から出力される信号を処理する信号処理部と
を有することを特徴とする撮像システム。
【請求項１０】
移動体であって、
請求項１乃至８のいずれか１項に記載の撮像装置と、
前記撮像装置の前記画素から出力される信号に基づく視差画像から、対象物までの距離情報を取得する距離情報取得手段と、
前記距離情報に基づいて前記移動体を制御する制御手段と
を有することを特徴とする移動体。
【請求項１１】
光電変換により電荷を生じる光電変換部を各々が有し、複数の列を構成するように配された複数の画素と、前記複数の列に対応して設けられ、各々が前記複数の画素の一部からの信号を受ける複数の列回路と、前記複数の列回路の各々に接続された第１の共通制御線と、を有し、前記複数の列回路の各々が、ゲインの切り替えが可能なアンプ回路と、前記アンプ回路に流れる電流を制御する第１のトランジスタと、を有する撮像装置の駆動方法であって、
前記アンプ回路のゲインに応じて、前記第１の共通制御線を介して前記複数の列回路の前記第１のトランジスタに供給する前記バイアス電圧を切り替え、
前記アンプ回路が第１のゲインのときに前記第１のトランジスタが第１の電流値の電流を供給し、前記アンプ回路が前記第１のゲインよりも大きい第２のゲインのときに前記第１のトランジスタが前記第１の電流値よりも小さい第２の電流値の電流を供給するように、前記バイアス電圧を制御する
ことを特徴とする撮像装置の駆動方法。
【手続補正２】
【補正対象書類名】明細書
【補正対象項目名】０００６
【補正方法】変更
【補正の内容】
【０００６】
本発明の一観点によれば、光電変換により電荷を生じる光電変換部を各々が有し、複数の列を構成するように配された複数の画素と、前記複数の列に対応して設けられ、各々が前記複数の画素の一部からの信号を受ける複数の列回路と、前記複数の列回路の各々に接続された第１の共通制御線と、前記複数の列回路を制御する制御部と、を有し、前記複数の列回路の各々は、ゲインの切り替えが可能なアンプ回路と、前記アンプ回路に流れる電流を制御する第１のトランジスタと、を有し、前記制御部は、前記アンプ回路が第１のゲインのときに前記第１のトランジスタが第１の電流値の電流を供給し、前記アンプ回路のゲインが前記第１のゲインよりも大きい第２のゲインのときに前記第１のトランジスタが前記第１の電流値よりも小さい第２の電流値の電流を供給するように、前記列回路を制御する撮像装置が提供される。
【手続補正３】
【補正対象書類名】明細書
【補正対象項目名】０００７
【補正方法】変更
【補正の内容】
【０００７】
また、本発明の他の一観点によれば、光電変換により電荷を生じる光電変換部を各々が有し、複数の列を構成するように配された複数の画素と、前記複数の列に対応して設けられ、各々が前記複数の画素の一部からの信号を受ける複数の列回路と、前記複数の列回路の各々に接続された第１の共通制御線と、を有し、前記複数の列回路の各々が、ゲインの切り替えが可能なアンプ回路と、前記アンプ回路に流れる電流を制御する第１のトランジスタと、を有する撮像装置の駆動方法であって、前記アンプ回路のゲインに応じて、前記第１の共通制御線を介して前記複数の列回路の前記第１のトランジスタに供給する前記バイアス電圧を切り替え、前記アンプ回路が第１のゲインのときに前記第１のトランジスタが第１の電流値の電流を供給し、前記アンプ回路が前記第１のゲインよりも大きい第２のゲインのときに前記第１のトランジスタが前記第１の電流値よりも小さい第２の電流値の電流を供給するように、前記バイアス電圧を制御する撮像装置の駆動方法が提供される。
【手続補正書】
【提出日】令和3年5月10日(2021.5.10)
【手続補正１】
【補正対象書類名】特許請求の範囲
【補正対象項目名】請求項１０
【補正方法】変更
【補正の内容】
【請求項１０】
通信装置の制御方法であって、
複数のパケットに対応する送信データをＤＭＡ（Ｄｉｒｅｃｔ  Ｍｅｍｏｒｙ  Ａｃｃｅｓｓ）により送信バッファへ転送する転送工程と、
前記転送工程における前記送信データの転送に並行して、当該送信データに対する第１のチェックサム値を計算する計算工程と、
前記転送工程において転送された前記送信データに対するパケット化処理を行う際に、前記計算工程において計算された前記第１のチェックサム値を利用してパケット化処理を行うことで、複数のパケットを生成する生成工程と、
を有することを特徴とする制御方法。
【手続補正書】
【提出日】令和3年4月27日(2021.4.27)
【手続補正１】
【補正対象書類名】明細書
【補正対象項目名】発明の名称
【補正方法】変更
【補正の内容】
【発明の名称】画像処理装置及びその制御方法並びにプログラム
【手続補正２】
【補正対象書類名】明細書
【補正対象項目名】０００１
【補正方法】変更
【補正の内容】
【０００１】
本発明は、画像処理装置及びその制御方法並びにプログラムに関する。
【手続補正３】
【補正対象書類名】明細書
【補正対象項目名】０００５
【補正方法】変更
【補正の内容】
【０００５】
本発明は、通信データ量の軽減とレスポンスの向上を可能とする画像処理装置を提供することを目的とする。
【手続補正４】
【補正対象書類名】明細書
【補正対象項目名】０００６
【補正方法】変更
【補正の内容】
【０００６】
本発明に係る画像処理装置は、他の画像処理装置と通信可能な画像処理装置であって、ＲＡＷ画像に対して現像処理を行うとともに、複数の編集項目のうち少なくとも１つにしたがって前記現像処理により生成された画像を編集する編集手段と、前記ＲＡＷ画像と、前記編集手段による編集内容を関連付けて記憶する記憶手段と、前記ＲＡＷ画像についての前記他の画像処理装置での使用用途を取得する用途取得手段と、前記記憶手段に記憶された編集内容と前記用途取得手段が取得した使用用途とに基づいて前記他の画像処理装置へ、前記ＲＡＷ画像と前記編集内容、前記編集内容、および前記ＲＡＷ画像に対して現像処理を行うことにより生成された表示用画像のうちいずれか１つを選択して送信するよう制御する送信制御手段と、を備えることを特徴とする。
【手続補正５】
【補正対象書類名】特許請求の範囲
【補正対象項目名】全文
【補正方法】変更
【補正の内容】
【特許請求の範囲】
【請求項１】
他の画像処理装置と通信可能な画像処理装置であって、
ＲＡＷ画像に対して現像処理を行うとともに、複数の編集項目のうち少なくとも１つにしたがって前記現像処理により生成された画像を編集する編集手段と、
前記ＲＡＷ画像と、前記編集手段による編集内容を関連付けて記憶する記憶手段と、
前記ＲＡＷ画像についての前記他の画像処理装置での使用用途を取得する用途取得手段と、
前記記憶手段に記憶された編集内容と前記用途取得手段が取得した使用用途とに基づいて前記他の画像処理装置へ、前記ＲＡＷ画像と前記編集内容、前記編集内容、および前記ＲＡＷ画像に対して現像処理を行うことにより生成された表示用画像のうちいずれか１つを選択して送信するよう制御する送信制御手段と、を備えることを特徴とする画像処理装置。
【請求項２】
前記他の画像処理装置が保持する画像を示す保持情報を取得する取得手段を備え、
前記送信制御手段は、さらに前記保持情報に基づいて、前記他の画像処理装置への送信対象を選択することを特徴とする請求項１に記載の画像処理装置。
【請求項３】
前記送信制御手段は、
前記使用用途がＲＡＷ画像の編集であり、且つ、前記保持情報が前記他の画像処理装置が前記ＲＡＷ画像を保持していないことを示す場合には、前記ＲＡＷ画像と編集内容を送信対象として選択し、
前記使用用途がＲＡＷ画像の編集ではなく、且つ、前記保持情報が前記他の画像処理装置が画像を保持していない場合には、前記表示用画像を送信対象として選択することを特徴とする請求項２に記載の画像処理装置。
【請求項４】
前記他の画像処理装置が前記画像の編集内容を保持していることを前記保持情報が示している場合に、前記編集手段による編集内容と前記保持情報に含まれる編集内容とを比較する比較手段を有し、
前記送信制御手段は、前記比較手段が比較した編集内容に差異がある場合に、前記編集内容を送信対象として選択することを特徴とする請求項２又は３に記載の画像処理装置。
【請求項５】
他の画像処理装置と通信可能な画像処理装置の制御方法であって、
ＲＡＷ画像に対して現像処理を行うとともに、複数の編集項目のうち少なくとも１つにしたがって前記現像処理により生成された画像を編集するステップと、
前記ＲＡＷ画像と、前記編集での編集内容を関連付けて記憶手段に記憶するステップと、
前記ＲＡＷ画像についての前記他の画像処理装置での使用用途を取得するステップと、
前記記憶手段に記憶された編集内容と前記使用用途とに基づいて前記他の画像処理装置へ、前記ＲＡＷ画像と前記編集内容、前記編集内容、および前記ＲＡＷ画像に対して現像処理を行うことにより生成された表示用画像のうちいずれか１つを選択して送信するよう制御するステップと、を備えることを特徴とする画像処理装置の制御方法。
【請求項６】
コンピュータを請求項1乃至４のいずれか１項に記載の画像処理装置の各手段として機能させるプログラム。
【手続補正書】
【提出日】令和3年2月26日(2021.2.26)
【手続補正１】
【補正対象書類名】特許請求の範囲
【補正対象項目名】全文
【補正方法】変更
【補正の内容】
【特許請求の範囲】
【請求項１】
第１カメラ部と、第２カメラ部と、これらを支持するアーム部と、を備えた飛行体から取得されるイメージデータの画像加工方法であって、
前記第１カメラ部は、前記第２カメラ部よりも鉛直方向において上方に設けられており、前記第１カメラ部で撮影された第１イメージデータの面積が前記第２カメラ部で撮影された第２イメージデータの面積よりも大きくなるようにして、当該第１イメージデータと当該第２イメージデータを連結する、画像加工方法。
【請求項２】
前記第１カメラ部は、前記第２カメラ部よりも鉛直方向において上方に設けられている、請求項１に記載の画像加工方法。
【手続補正書】
【提出日】令和3年2月25日(2021.2.25)
【手続補正１】
【補正対象書類名】特許請求の範囲
【補正対象項目名】請求項４
【補正方法】変更
【補正の内容】
【請求項４】
ステータとロータとからなるモータを有し、前記ステータに、軸方向の前後に位置するインシュレータを介して複数のコイルが巻回される電動工具であって、
前記インシュレータに、ナットが固定されており、
前記ナットには、前記コイルへ給電する電源線が電気的に接続される電源端子を備えた電源端子ユニットの前記電源端子がネジ止めされていることを特徴とする電動工具。
【手続補正２】
【補正対象書類名】明細書
【補正対象項目名】０００７
【補正方法】変更
【補正の内容】
【０００７】
上記目的を達成するために、請求項１に記載の発明は、ステータとロータとからなるモータを有し、ステータに、軸方向の前後に位置するインシュレータを介して複数のコイルが巻回される電動工具であって、
コイル間の渡り線と電気的に接続される接続部を備えて所定の渡り線同士を短絡する短絡金具が、インシュレータにインサート成形されていることを特徴とする。
請求項２に記載の発明は、請求項１の構成において、コイルへ給電する電源線を短絡金具へ電気的に接続してインシュレータへ組み付けるためのナットもインシュレータにインサート成形されていることを特徴とする。
請求項３に記載の発明は、請求項２の構成において、接続部は、ヒュージング端子であることを特徴とする。
上記目的を達成するために、請求項４に記載の発明は、ステータとロータとからなるモータを有し、ステータに、軸方向の前後に位置するインシュレータを介して複数のコイルが巻回される電動工具であって、
インシュレータに、ナットが固定されており、ナットには、コイルへ給電する電源線が電気的に接続される電源端子を備えた電源端子ユニットの電源端子がネジ止めされていることを特徴とする。
請求項５に記載の発明は、請求項４の構成において、電源端子ユニットにおけるインシュレータ側の面には、ロータの回転を検出するためのセンサ回路基板が仮固定されていることを特徴とする。
請求項６に記載の発明は、請求項５の構成において、電源端子ユニットはリング状で、全周に亘ってセンサ回路基板と当接していることを特徴とする。
上記目的を達成するために、請求項７に記載の発明は、ステータとロータとからなるモータを有し、ステータに、軸方向の前後に位置するインシュレータを介して、少なくとも第１のコイル及び第２のコイルが巻回される電動工具であって、
第１のコイルと第２のコイルとの間の渡り線へ電気的に接続される金具が、インシュレータにインサート成形されていることを特徴とする。
請求項８に記載の発明は、請求項７の構成において、第１のコイルと第２のコイルとはステータの周方向に隣り合っていることを特徴とする。
請求項９に記載の発明は、請求項７の構成において、第１のコイルと第２のコイルとの間に、第３のコイルが巻回されていることを特徴とする。
上記目的を達成するために、請求項１０に記載の発明は、ステータとロータとからなるモータを有し、ステータに、軸方向の前後に位置するインシュレータを介して、少なくとも第１のコイル及び第２のコイルが巻回される電動工具であって、
インシュレータにナットがインサート成形されて、ナットを用いてインシュレータに他の部材がネジ固定可能となっていることを特徴とする。
【手続補正書】
【提出日】令和3年5月21日(2021.5.21)
【手続補正１】
【補正対象書類名】特許請求の範囲
【補正対象項目名】全文
【補正方法】変更
【補正の内容】
【特許請求の範囲】
【請求項１】
超音波振動を発生する振動子と、
前記振動子に連結され、前記振動子に対向した被洗浄物を支持する本体部と、
超音波振動を発生する他の振動子と、
前記被洗浄物に対向して前記振動子と反対側で前記被洗浄物と対向するよう前記他の振動子を配する支持部と
を備える携帯用洗浄装置。
【請求項２】
前記振動子および前記他の振動子により発生する前記超音波振動の位相が同じである請求項１に記載の携帯用洗浄装置。
【請求項３】
前記本体部の一部を前記支持部の一部に結合する第１ヒンジ部を更に備え、前記支持部は前記本体部に対して前記第１ヒンジ部を回転軸として回転する請求項１または２に記載の携帯用洗浄装置。
【請求項４】
前記振動子および前記他の振動子に対して断続可能に結合され、前記振動子および前記他の振動子を駆動する駆動部を更に備える請求項１から３のいずれか一項に記載の携帯用洗浄装置。
【請求項５】
前記駆動部は周期的に変化する駆動電圧を発生し、
前記振動子および前記他の振動子の各々は、前記駆動電圧を印加される圧電素子を備える
請求項４に記載の携帯用洗浄装置。
【請求項６】
前記本体部と前記第１ヒンジ部とは、第１リンク部および第２ヒンジ部を介して互いに連結されており、
前記支持部と前記第１ヒンジ部とは、第２リンク部および第３ヒンジ部を介して互いに連結されており、
前記第１リンク部は、回転軸としての前記第２ヒンジ部に対して回転可能に前記本体部に連結されており、
前記第２リンク部は、回転軸としての前記第３ヒンジ部に対して回転可能に前記支持部に連結されており、
前記第１リンク部と前記第２リンク部とは、回転軸としての前記第１ヒンジ部に対して回転可能に互いに連結されている
請求項３に記載の携帯用洗浄装置。
【手続補正書】
【提出日】令和3年5月10日(2021.5.10)
【手続補正１】
【補正対象書類名】特許請求の範囲
【補正対象項目名】全文
【補正方法】変更
【補正の内容】
【特許請求の範囲】
【請求項１】
センサ部と、
一方の主面側に前記センサ部が配されるとともに、前記一方の主面側から他方の主面側に至って貫通する流通孔が形成された支持壁部を有するセンサベースと、
前記センサ部に対向する位置に開口を有し、前記センサベースの前記支持壁部の前記一方の主面側に、前記流通孔及び前記開口に連通する間隙を介して配される、センサヘッドカバーと、
前記開口に配され、前記センサ部を覆う、軟質部と、を備え、
前記流通孔は、前記他方の主面側から前記一方の主面側の前記開口に、前記軟質部を構成する樹脂材料を流入する流入孔である、センサモジュール。
【請求項２】
前記センサ部が配される領域の外周において複数の前記流通孔が前記センサ部に対して非対称に配される請求項１に記載のセンサモジュール。
【請求項３】
少なくとも１つの前記流通孔は他の前記流通孔と開口面積が異なる、請求項２に記載のセンサモジュール。
【請求項４】
前記センサ部は１以上の感圧素子を有する感圧素子列を備え、
所定の第１方向に延びる前記感圧素子列を挟んで、両側部に、それぞれ１または複数の前記流通孔が形成され、
一方の側方の前記流通孔の開口面積の合計が、他方の側方の前記流通孔の開口面積の合計よりも大きい、請求項１乃至請求項３のいずれかに記載のセンサモジュール。
【請求項５】
前記センサヘッドカバーの前記センサベースと対向する面は、前記開口に向けて傾斜する傾斜面を有する請求項１乃至請求項４のいずれかに記載のセンサモジュール。
【請求項６】
請求項１乃至請求項５のいずれかに記載の前記センサモジュールと、
前記センサモジュールを収容するケースを含むセンシング本体と、
手首の一方の動脈が存する領域と対向する位置に設けられ、前記手首を触診可能な形状の開口部を有し、前記手首の周方向の一部の形状に倣って湾曲する端面を有するアタッチ部と、
前記アタッチ部に設けられた固定具と、を備える血圧測定装置。
【請求項７】
センサ部が一方の主面側に配され、前記一方の主面側から他方の主面側に至って貫通する流通孔が配された支持壁部を有するセンサベースと、
前記センサ部に対向する位置に開口を有するセンサヘッドカバーを、前記センサベースの一方の主面との間に前記流通孔及び前記開口に連通する間隙を介して、前記一方の主面側を下向きにして、対向配置させ、
平坦な表面を有する対向部材を、前記センサヘッドカバーの下に当接させ、前記対向部材の平坦な表面により前記開口を塞いだ状態で、
前記流通孔の前記他方の主面側から樹脂材料を供給する工程を備える、センサモジュールの製造方法。
【手続補正２】
【補正対象書類名】明細書
【補正対象項目名】０００６
【補正方法】変更
【補正の内容】
【０００６】
一態様によれば、センサ部と、一方の主面側に前記センサ部が配されるとともに、前記一方の主面側から他方の主面側に至って貫通する流通孔が形成された支持壁部を有するセンサベースと、前記センサ部に対向する位置に開口を有し、前記センサベースの前記支持壁部の一方の主面側に、前記流通孔及び前記開口に連通する間隙を介して配される、センサヘッドカバーと、前記開口に配され、前記センサ部を覆う、軟質部と、を備え、前記流通孔は、前記他方の主面側から前記一方の主面側の前記開口に、前記軟質部を構成する樹脂材料を流入する流入孔である、センサモジュールが提供される。
【手続補正３】
【補正対象書類名】明細書
【補正対象項目名】００２７
【補正方法】変更
【補正の内容】
【００２７】
本体ケース１１は、操作部１２の一部、表示部１３の一部、制御基板１５を収容するとともに、操作部１２の一部及び表示部１３の一部を外面から露出させる。また、本体ケース１１は、本体固定具１６が取り付けられる。
【手続補正４】
【補正対象書類名】明細書
【補正対象項目名】００６９
【補正方法】変更
【補正の内容】
【００６９】
第１孔７２ｄは圧力センサ部７１の長手方向における開口の寸法が、圧力センサ部７１の幅方向における開口の寸法よりも長く構成され、第１方向に長い長円形状に構成されている。第１孔７２ｄの開口面積は、他の３つの孔７２ｅ，７２ｆ，７２ｇよりも大きく構成されている。また第１孔７２ｄの内壁は裏側の口径が拡大するテーパ状に形成されている。
【手続補正５】
【補正対象書類名】明細書
【補正対象項目名】００８３
【補正方法】変更
【補正の内容】
【００８３】
次に、血圧測定装置及びセンサモジュールの製造方法について図１３乃至図２１を参照して説明する。血圧測定装置及びセンサモジュールの製造方法は、圧力センサ部７１をセンサベース７２上にセットするセンサセット工程（ステップＳＴ１）と、センサベース７２にセンサヘッドカバー７３を組付けるカバー組付工程（ステップＳＴ２）と、開口７３ａを対向部材で塞いだ状態で軟質樹脂を供給する充填工程（ステップＳＴ３）と、を備える。
【手続補正６】
【補正対象書類名】明細書
【補正対象項目名】００８４
【補正方法】変更
【補正の内容】
【００８４】
まずセンサセット工程（ステップＳＴ１）として、圧力センサ部７１を、接着シート７１ｅを介してセンサベース７２上にセットする。具体的には、まず、複数の感圧素子７１ｃを、基板７１ｂに搭載する。次に、複数の感圧素子７１ｃが搭載された基板７１ｂをフレキシブル基板７１ａに実装する。これにより、圧力センサ部７１が完成する。次に、圧力センサ部７１を、接着シート７１ｅを介してセンサベース７２上に固定する。
【手続補正７】
【補正対象書類名】明細書
【補正対象項目名】０１０７
【補正方法】変更
【補正の内容】
【０１０７】
なお、本発明は上記実施形態に限定されない。例えば上述した例では、充填工程として一方の側方に並ぶ２つの流通孔７２ｄ，７２ｅを注入口とした構成を説明したがこれに限定されない。例えば、図２７に示すように流入口を１つとし、１つの孔７２ｄから軟質樹脂材を供給する構成としてもよい。この場合、流れの向きが一方に規定され、ウェルドラインが発生しにくい。なおこの他、例えば３つ以上のノズル８２を用いて、３以上の流通孔に軟質樹脂材を注入する態様としてもよい。
【手続補正書】
【提出日】令和3年5月10日(2021.5.10)
【手続補正１】
【補正対象書類名】特許請求の範囲
【補正対象項目名】全文
【補正方法】変更
【補正の内容】
【特許請求の範囲】
【請求項１】
センサベースと、
前記センサベースに固定された圧力センサ部と、
外面の生体に接触する領域に開口を有し、内表面が凹凸形状に構成され、且つ、前記センサベースに固定されて前記内表面と前記センサベース及び前記圧力センサ部との間に前記開口と連通する間隙部を形成するセンサヘッドカバーと、
前記間隙部内に設けられて、少なくとも、前記開口内に充填されるとともに前記圧力センサ部を覆う、前記生体の圧力を前記圧力センサ部に伝達する軟質部と、
を具備し、
前記内表面の凹凸形状は、表面粗さを粗くすることにより構成され、
前記センサヘッドカバーの前記外面の前記生体に接触する領域は、前記内表面の表面粗さよりも低い表面粗さを有する平面に構成された平面部を含み、
前記開口は、前記平面部に形成される
センサモジュール。
【請求項２】
前記内表面は、シボ形状に構成される
請求項１に記載のセンサモジュール。
【請求項３】
前記平面部は、鏡面加工が施される
請求項１に記載のセンサモジュール。
【請求項４】
前記センサヘッドカバーの前記外面の前記生体に接触する領域の全域は、同じ表面粗さに構成される
請求項１または３に記載のセンサモジュール。
【請求項５】
前記センサヘッドカバーは、セラミックスで形成される
請求項１に記載のセンサモジュール。
【請求項６】
一方の主面から他方の主面に至って貫通する流通孔が形成された支持壁部を有するセンサベースの前記一方の主面に、圧力センサ部を固定し、
外面の生体に接触する領域の平面部に開口を有するとともに内表面が凹凸形状に構成されたセンサヘッドカバーを、前記センサベースに固定して前記内表面と前記センサベース及び前記圧力センサ部との間に、前記流通孔に連通する間隙部を形成し、
前記平面部に対向部材を接触させて前記開口を前記対向部材で閉塞し、
前記他方の主面から前記流通孔内に軟質部を形成する材料を注入し、
前記材料から前記軟質部が成形された後に前記対向部材を前記センサヘッドカバーから分離する
センサモジュールの製造方法。
【請求項７】
センサベース、前記センサベースに固定された圧力センサ部、外面の生体に接触する領域に開口を有し、内表面が凹凸形状に構成され、且つ、前記センサベースに固定されて前記内表面と前記センサベース及び前記圧力センサ部との間に前記開口と連通する間隙部を形成するセンサヘッドカバー、及び前記間隙部内に設けられて、少なくとも、前記開口内を充填されるとともに前記圧力センサ部を覆う、前記生体の圧力を前記圧力センサ部に伝達する軟質部を具備したセンサモジュールと、
前記生体と対向する位置に設けられるとともに前記センサモジュールを配置する開口部を有し、前記生体の周方向の一部の形状に倣って湾曲する端面を有するアタッチ部と、
前記アタッチ部に設けられた固定具と、
前記アタッチ部に設けられるとともに、前記センサモジュールを収容するケースと、
を備え、
前記内表面の凹凸形状は、表面粗さを粗くすることにより構成され、
前記センサヘッドカバーの前記外面の前記生体に接触する領域は、前記内表面の表面粗さよりも低い表面粗さを有する平面に構成された平面部を含み、
前記開口は、前記平面部に形成される
血圧測定装置。
【手続補正２】
【補正対象書類名】明細書
【補正対象項目名】０００６
【補正方法】変更
【補正の内容】
【０００６】
そこで本発明は、軟質部の保持力を向上できるセンサモジュール、センサモジュールの製造方法、及び、血圧測定装置を提供することを目的とする。
【手続補正３】
【補正対象書類名】明細書
【補正対象項目名】００２４
【補正方法】変更
【補正の内容】
【００２４】
この態様によれば、センサモジュールは、収容部の内表面が凹凸形状によって面積を増加するので、収容部の内表面と軟質部との接着面を増加することが可能となる。この為、当該内表面と軟質部との接着強度が高くなり、内表面の軟質部の保持力が向上するので、軟質部が内表面から剥がれにくくなる。
【手続補正４】
【補正対象書類名】明細書
【補正対象項目名】０１０４
【補正方法】変更
【補正の内容】
【０１０４】
次に、センサモジュール６３の製造方法の一例について、図１８を用いて説明する。図１８は、センサモジュール６３の製造方法の一例を示す流れ図である。センサモジュール６３の製造方法は、圧力センサ部７１をセンサベース７２上にセットするセンサセット工程（ステップＳＴ１１）と、センサベース７２にセンサヘッドカバー７３を組付けるカバー組付工程（ステップＳＴ１２）と、開口７３ａを対向板８１で塞いだ状態で軟質部７４を形成する材料を供給して間隙部７９内の圧力センサ部７１を覆う位置まで当該材料を充填させる充填工程（ステップＳＴ１３）と、を備える。
【手続補正書】
【提出日】令和3年8月6日(2021.8.6)
【手続補正１】
【補正対象書類名】特許請求の範囲
【補正対象項目名】全文
【補正方法】変更
【補正の内容】
【特許請求の範囲】
【請求項１】
遊技者にとって有利な有利状態に制御可能な遊技機であって、
前記有利状態に制御される確率に関する設定値を設定可能な設定手段と、
前記設定手段により設定された設定値を確認可能な設定確認状態に制御可能な設定確認制御手段と、
遊技に関する処理を実行可能な割込処理を実行する割込処理実行手段と、
遊技媒体が所定領域を通過したことに基づいて、普通識別情報の可変表示を行い表示結果を導出表示する普通可変表示手段と、
普通識別情報の可変表示を行う普通可変表示期間を計時する普通可変表示計時手段と、
遊技者にとって有利な第１状態と、遊技者にとって不利な第２状態とに変化する可変手段と、
前記有利状態中に前記可変手段を前記第２状態から前記第１状態に変化させる所定遊技を複数回実行可能な所定遊技実行手段と、
前記所定遊技が終了してから次の前記所定遊技が開始するまでの所定期間を計時する所定期間計時手段と、を備え、
前記設定確認制御手段は、遊技機への電力供給が開始したときであって前記割込処理が実行される前に前記設定確認状態に制御可能であり、
前記設定確認状態が終了した後に前記割込処理が実行され、該割込処理が実行された後、遊技機への電力供給が停止されるまで前記設定確認状態に制御されず、
前記普通可変表示期間が計時されているときに遊技機への電力供給が停止され、その後に遊技機への電力供給が再開して前記設定確認状態に制御された場合に、該設定確認状態が終了するまで前記普通可変表示期間の計時が中断され、該設定確認状態が終了したときに前記普通可変表示期間の計時が再開され、
前記所定期間が計時されているときに遊技機への電力供給が停止され、その後に遊技機への電力供給が再開して前記設定確認状態に制御された場合に、該設定確認状態が終了するまで前記所定期間の計時が中断され、該設定確認状態が終了したときに前記所定期間の計時が再開される、
ことを特徴とする遊技機。
【手続補正２】
【補正対象書類名】明細書
【補正対象項目名】０００２
【補正方法】変更
【補正の内容】
【０００２】
従来から、複数の設定値のうちのいずれかに設定可能であり、設定された設定値にもとづいて遊技者にとって有利な有利状態の制御を実行可能なパチンコ遊技機があった。このようなパチンコ遊技機において、設定値を確認するための設定確認処理では、実行中のメイン処理が全て終了したときにしか次の処理へ移行できなかった（例えば、特許文献１）。
【手続補正３】
【補正対象書類名】明細書
【補正対象項目名】０００３
【補正方法】変更
【補正の内容】
【０００３】
【特許文献１】特開２０１０−２００９０２号公報
【手続補正４】
【補正対象書類名】明細書
【補正対象項目名】０００４
【補正方法】変更
【補正の内容】
【０００４】
しかしながら、特許文献１にあっては、設定確認をすぐに行いたい状況のときに、実行中の全ての処理が終わるまで待たねばならず、好適に設定確認作業を実行することできないという問題がある。
【手続補正５】
【補正対象書類名】明細書
【補正対象項目名】０００５
【補正方法】変更
【補正の内容】
【０００５】
本発明は、このような問題点に着目してなされたもので、好適に設定確認作業を実行することができる遊技機を提供することを目的とする。
【手続補正６】
【補正対象書類名】明細書
【補正対象項目名】０００６
【補正方法】変更
【補正の内容】
【０００６】
（Ａ）  遊技者にとって有利な有利状態に制御可能な遊技機であって、
前記有利状態に制御される確率に関する設定値を設定可能な設定手段と、
前記設定手段により設定された設定値を確認可能な設定確認状態に制御可能な設定確認制御手段と、
遊技に関する処理を実行可能な割込処理を実行する割込処理実行手段と、
遊技媒体が所定領域を通過したことに基づいて、普通識別情報の可変表示を行い表示結果を導出表示する普通可変表示手段と、
普通識別情報の可変表示を行う普通可変表示期間を計時する普通可変表示計時手段と、
遊技者にとって有利な第１状態と、遊技者にとって不利な第２状態とに変化する可変手段と、
前記有利状態中に前記可変手段を前記第２状態から前記第１状態に変化させる所定遊技を複数回実行可能な所定遊技実行手段と、
前記所定遊技が終了してから次の前記所定遊技が開始するまでの所定期間を計時する所定期間計時手段と、を備え、
前記設定確認制御手段は、遊技機への電力供給が開始したときであって前記割込処理が実行される前に前記設定確認状態に制御可能であり、
前記設定確認状態が終了した後に前記割込処理が実行され、該割込処理が実行された後、遊技機への電力供給が停止されるまで前記設定確認状態に制御されず、
前記普通可変表示期間が計時されているときに遊技機への電力供給が停止され、その後に遊技機への電力供給が再開して前記設定確認状態に制御された場合に、該設定確認状態が終了するまで前記普通可変表示期間の計時が中断され、該設定確認状態が終了したときに前記普通可変表示期間の計時が再開され、
前記所定期間が計時されているときに遊技機への電力供給が停止され、その後に遊技機への電力供給が再開して前記設定確認状態に制御された場合に、該設定確認状態が終了するまで前記所定期間の計時が中断され、該設定確認状態が終了したときに前記所定期間の計時が再開される、
ことを特徴とする。この特徴によれば好適に設定確認作業を行うことが出来る。
（１）  遊技を行う遊技機（例えば、特徴部４８Ｆに係るパチンコ遊技機）であって、
遊技者にとっての有利度が互いに異なる複数種類の状態（例えば、非確変状態，確変状態）のいずれかに制御する状態制御手段（例えば、ＣＰＵ１０３による図５の特別図柄プロセス処理，図１０−２参照）と、
遊技者の動作（例えば、裏動作，特定動作）を検出する動作検出手段（例えば、スティックコントローラ３１Ａ）と、
前記動作検出手段によって検出される動作（例えば、特定動作）を遊技者に促す促進報知を行う促進報知手段（例えば、演出制御用ＣＰＵ１２０により促進報知を実行する処理）と、
前記複数種類の状態のいずれに制御されているかに関わらず、当該複数種類の状態で共通する共通演出を所定期間（例えば、低確高ベース状態または高確高ベース状態の制御期間）に亘って実行する共通演出実行手段（例えば、演出制御用ＣＰＵ１２０により共通演出を実行する処理）と、
前記複数種類の状態のいずれかを示唆する示唆手段（例えば、演出制御用ＣＰＵ１２０による図１０−４の４８ＦＳ０２４で最終変動時示唆演出を実行する処理）とを備え、
前記示唆手段は、前記所定期間のうちの前記共通演出の終了を遊技者が特定可能な特定期間（例えば、リザルト画面が表示される期間であって図１０−９のｔ２〜ｔ４の有効期間）において、前記促進報知が行われることなく前記動作検出手段によって遊技者の動作（例えば、裏動作）が検出されたことに基づいて、当該所定期間における状態を示唆する（例えば、図１０−４，図１０−９参照）。
【手続補正書】
【提出日】令和3年8月6日(2021.8.6)
【手続補正１】
【補正対象書類名】特許請求の範囲
【補正対象項目名】全文
【補正方法】変更
【補正の内容】
【特許請求の範囲】
【請求項１】
遊技者にとって有利な有利状態に制御可能な遊技機であって、
前記有利状態に制御される確率に関する設定値を設定可能な設定手段と、
前記設定手段により設定された設定値を確認可能な設定確認状態に制御可能な設定確認制御手段と、
遊技に関する処理を実行可能な割込処理を実行する割込処理実行手段と、
特別識別情報の可変表示を行い、可変表示結果を表示可能な特別可変表示手段と、
特別識別情報の可変表示を行う特別可変表示期間を計時する特別可変表示計時手段と、
遊技者にとって有利な第１状態と、遊技者にとって不利な第２状態とに変化する可変手段と、
前記有利状態中に前記可変手段を前記第２状態から前記第１状態に変化させる所定遊技を複数回実行可能な所定遊技実行手段と、
前記所定遊技が終了してから次の前記所定遊技が開始するまでの所定期間を計時する所定期間計時手段と、を備え、
前記設定確認制御手段は、遊技機への電力供給が開始したときであって前記割込処理が実行される前に前記設定確認状態に制御可能であり、
前記設定確認状態が終了した後に前記割込処理が実行され、該割込処理が実行された後、遊技機への電力供給が停止されるまで前記設定確認状態に制御されず、
前記特別可変表示期間が計時されているときに遊技機への電力供給が停止され、その後に遊技機への電力供給が再開して前記設定確認状態に制御された場合に、該設定確認状態が終了するまで前記特別可変表示期間の計時が中断され、該設定確認状態が終了したときに前記特別可変表示期間の計時が再開され、
前記所定期間が計時されているときに遊技機への電力供給が停止され、その後に遊技機への電力供給が再開して前記設定確認状態に制御された場合に、該設定確認状態が終了するまで前記所定期間の計時が中断され、該設定確認状態が終了したときに前記所定期間の計時が再開される、
ことを特徴とする遊技機。
【手続補正２】
【補正対象書類名】明細書
【補正対象項目名】０００２
【補正方法】変更
【補正の内容】
【０００２】
従来の遊技機には、複数の設定値のうちのいずれかに設定可能であり、設定された設定値にもとづいて遊技者にとって有利な有利状態の制御を実行可能なパチンコ遊技機があった。このようなパチンコ遊技機において、設定値を確認するための設定確認処理では、実行中のメイン処理が全て終了したときにしか次の処理へ移行できなかった（特許文献１）。
【手続補正３】
【補正対象書類名】明細書
【補正対象項目名】０００３
【補正方法】変更
【補正の内容】
【０００３】
【特許文献１】特開２０１０−２００９０２号公報
【手続補正４】
【補正対象書類名】明細書
【補正対象項目名】０００４
【補正方法】変更
【補正の内容】
【０００４】
しかしながら、特許文献１にあっては、設定確認をすぐに行いたい状況のときに、実行中の全ての処理が終わるまで待たねばならず、好適に設定確認作業を実行することできないという問題がある。
【手続補正５】
【補正対象書類名】明細書
【補正対象項目名】０００５
【補正方法】変更
【補正の内容】
【０００５】
本発明は、このような問題点に着目してなされたもので、好適に設定確認作業を実行することができる遊技機を提供することを目的とする。
【手続補正６】
【補正対象書類名】明細書
【補正対象項目名】０００６
【補正方法】変更
【補正の内容】
【０００６】
（Ａ）  遊技者にとって有利な有利状態に制御可能な遊技機であって、
前記有利状態に制御される確率に関する設定値を設定可能な設定手段と、
前記設定手段により設定された設定値を確認可能な設定確認状態に制御可能な設定確認制御手段と、
遊技に関する処理を実行可能な割込処理を実行する割込処理実行手段と、
特別識別情報の可変表示を行い、可変表示結果を表示可能な特別可変表示手段と、
特別識別情報の可変表示を行う特別可変表示期間を計時する特別可変表示計時手段と、
遊技者にとって有利な第１状態と、遊技者にとって不利な第２状態とに変化する可変手段と、
前記有利状態中に前記可変手段を前記第２状態から前記第１状態に変化させる所定遊技を複数回実行可能な所定遊技実行手段と、
前記所定遊技が終了してから次の前記所定遊技が開始するまでの所定期間を計時する所定期間計時手段と、を備え、
前記設定確認制御手段は、遊技機への電力供給が開始したときであって前記割込処理が実行される前に前記設定確認状態に制御可能であり、
前記設定確認状態が終了した後に前記割込処理が実行され、該割込処理が実行された後、遊技機への電力供給が停止されるまで前記設定確認状態に制御されず、
前記特別可変表示期間が計時されているときに遊技機への電力供給が停止され、その後に遊技機への電力供給が再開して前記設定確認状態に制御された場合に、該設定確認状態が終了するまで前記特別可変表示期間の計時が中断され、該設定確認状態が終了したときに前記特別可変表示期間の計時が再開され、
前記所定期間が計時されているときに遊技機への電力供給が停止され、その後に遊技機への電力供給が再開して前記設定確認状態に制御された場合に、該設定確認状態が終了するまで前記所定期間の計時が中断され、該設定確認状態が終了したときに前記所定期間の計時が再開される、
ことを特徴とする。この特徴によれば好適に設定確認作業を行うことが出来る。
（１）  遊技を行う遊技機（例えば、特徴部４７Ｆに係るパチンコ遊技機１）であって、
表示手段（例えば、画像表示装置５）と、
遊技者の動作を検出する動作検出手段（例えば、プッシュセンサ３５Ｂ）とを備え、
前記表示手段は、
遊技者の動作の検出が有効となる有効期間中に遊技者の動作を促進する促進表示（例えば、図８−１に示す第１促進画像４７Ｆ００１，第２促進画像４７Ｆ００４）を表示可能であり、
前記促進表示に対応した動作を遊技者が実行したことに基づいて前記有効期間が終了したときに、前記促進表示を促進後表示として表示可能である（例えば、図８−１（Ｄ）に示すように、遊技者がプッシュボタン３１Ｂを操作したことに基づいて有効期間が終了したときに、第１促進画像４７Ｆ００１を促進後画像４７Ｆ００２として表示する）。
【手続補正書】
【提出日】令和3年4月28日(2021.4.28)
【手続補正１】
【補正対象書類名】特許請求の範囲
【補正対象項目名】全文
【補正方法】変更
【補正の内容】
【特許請求の範囲】
【請求項１】
第一原位置から第一演出位置に変位することが可能な第一可動部材と、
前記第一可動部材とは別に独立して動作させることが可能な部材であって、第二原位置から第二演出位置に変位することが可能な第二可動部材と、
前記第一可動部材を前記第一演出位置に位置させ、前記第二可動部材を前記第二演出位置に位置させる可動演出を実行する演出実行手段と、
を備え、
前記可動演出を実行する際、前記第一演出位置に向かう前記第一可動部材の変位が前記第二演出位置に向かう第二可動部材の変位よりも先に開始されて前記第二可動部材が前記第二演出位置に向かう変位を開始する時点では前記第一可動部材が前記第一演出位置に位置しているようにされることで、前記第二演出位置に向かって変位する前記第二可動部材の少なくとも一部が前記第一演出位置に位置する前記第一可動部材に覆われた状態となることを特徴とする遊技機。
【手続補正書】
【提出日】令和3年5月14日(2021.5.14)
【手続補正１】
【補正対象書類名】特許請求の範囲
【補正対象項目名】全文
【補正方法】変更
【補正の内容】
【特許請求の範囲】
【請求項１】
単一の波長区間を切り替えて階段状に掃引した光を出力する光源と、
前記光源からの光を測定光と参照光とに分岐する光分岐手段と、
前記測定光を測定対象の２次元領域に照射する照射手段と、
２次元状に配置された受光素子を含み構成され、前記測定対象からの前記測定光の戻り光と前記参照光とを干渉させることにより得られる干渉光を所定の露光タイミングで検出する検出手段と、
前記所定の露光タイミングが前記単一の波長区間内になるように、前記光源の動作と前記検出手段の動作とを連動させる制御を行う制御手段と、
を有することを特徴とする撮影装置。
【請求項２】
前記制御手段は、前記光源から出力する前記光の波長を変更する動作と、前記検出手段の露光動作と、を連動させる制御を行うことを特徴とする請求項１に記載の撮影装置。
【請求項３】
前記制御手段は、発生させたトリガー信号を用いて、前記光源の動作と前記検出手段の動作とを連動させる制御を行うことを特徴とする請求項１または２に記載の撮影装置。
【請求項４】
前記検出手段は、前記トリガー信号を用いた前記制御により、現在の動作を中断し、改めて当該動作を開始することを特徴とする請求項３に記載の撮影装置。
【請求項５】
前記制御手段は、前記検出手段の動作に基づき前記トリガー信号を発生させることを特徴とする請求項３に記載の撮影装置。
【請求項６】
前記制御手段は、前記検出手段が前記干渉光を検出することにより得た干渉信号に基づく干渉画像の輝度情報をリファレンス画像の輝度情報と比較した結果に基づいて、前記光源から出力する前記光の波長を変更する動作の前記制御を行うことを特徴とする請求項２に記載の撮影装置。
【請求項７】
前記制御手段によって動作が前記制御された前記検出手段において前記干渉光を検出することにより得た干渉信号を用いて、前記測定対象の断層画像を生成する生成手段を更に有することを特徴とする請求項１乃至６のいずれか１項に記載の撮影装置。
【請求項８】
単一の波長区間を切り替えて階段状に掃引した光を出力する光源と、前記光源からの光を測定光と参照光とに分岐する光分岐手段と、前記測定光を測定対象の２次元領域に照射する照射手段と、２次元状に配置された受光素子を含み構成され、前記測定対象からの前記測定光の戻り光と前記参照光とを干渉させることにより得られる干渉光を所定の露光タイミングで検出する検出手段と、を備える撮影装置の制御方法であって、
前記所定の露光タイミングが前記単一の波長区間内になるように、前記光源の動作と前記検出手段の動作とを連動させる制御を行うことを特徴とする撮影装置の制御方法。
【手続補正２】
【補正対象書類名】明細書
【補正対象項目名】００１２
【補正方法】変更
【補正の内容】
【００１２】
本発明の撮影装置は、単一の波長区間を切り替えて階段状に掃引した光を出力する光源と、前記光源からの光を測定光と参照光とに分岐する光分岐手段と、前記測定光を測定対象の２次元領域に照射する照射手段と、２次元状に配置された受光素子を含み構成され、前記測定対象からの前記測定光の戻り光と前記参照光とを干渉させることにより得られる干渉光を所定の露光タイミングで検出する検出手段と、前記所定の露光タイミングが前記単一の波長区間内になるように、前記光源の動作と前記検出手段の動作とを連動させる制御を行う制御手段と、を有する。
また、本発明は、上述した撮影装置の制御方法を含む。
【手続補正書】
【提出日】令和3年5月24日(2021.5.24)
【手続補正１】
【補正対象書類名】特許請求の範囲
【補正対象項目名】全文
【補正方法】変更
【補正の内容】
【特許請求の範囲】
【請求項１】
遊技者に有利な有利遊技状態に設定可能な設定手段と、
所定の演出を実行可能な演出実行手段と、を備え、
前記演出実行手段は、
所定の表示領域に所定の画像を表示可能であり、
前記所定の画像が表示されるかどうかを示唆する示唆演出を実行可能であり、
前記所定の画像には、前記有利遊技状態に設定される可能性があることを示唆する第１の画像と、前記第１の画像よりも前記有利遊技状態に設定される可能性が高いことを示唆する第２の画像と、があり、
前記示唆演出には、前記第１の画像が表示されるかどうかを示唆する第１示唆演出と、前記第２の画像が表示されるかどうかを示唆する第２示唆演出と、があり、
前記第１示唆演出の実行後に前記第１の画像が表示されなかった場合には、前記示唆演出が再度行われるときがあり、
前記第２示唆演出の実行後に前記第２の画像が表示されなかった場合には、前記示唆演出が再度行われるときがあることを特徴とする遊技機。
【請求項２】
請求項１に記載の遊技機であって、
前記第１示唆演出の実行後に前記第１の画像が表示されないで前記示唆演出が再度行われる確率と、前記第２示唆演出の実行後に前記第２の画像が表示されないで前記示唆演出が再度行われる確率と、が異なることを特徴とする遊技機。
【請求項３】
請求項２に記載の遊技機であって、
前記演出実行手段は、
前記有利遊技状態に設定される可能性が相対的に高いことを示唆する特殊演出を実行可能であり、
前記所定の画像として、前記特殊演出の実行を示唆する特殊画像が前記所定の表示領域に表示されるときと、前記第１の画像又は前記第２の画像が前記特殊画像とともに表示されるときと、があり、
前記所定の表示領域に前記特殊画像が表示されている場合に、前記第１示唆演出の実行後に前記第１の画像が表示されないで前記示唆演出が再度行われる確率と、前記第２示唆演出の実行後に前記第２の画像が表示されないで前記示唆演出が再度行われる確率と、が異なることを特徴とする遊技機。
【手続補正２】
【補正対象書類名】明細書
【補正対象項目名】０００５
【補正方法】変更
【補正の内容】
【０００５】
本発明の遊技機は、
遊技者に有利な有利遊技状態に設定可能な設定手段と、
所定の演出を実行可能な演出実行手段と、を備え、
前記演出実行手段は、
所定の表示領域に所定の画像を表示可能であり、
前記所定の画像が表示されるかどうかを示唆する示唆演出を実行可能であり、
前記所定の画像には、前記有利遊技状態に設定される可能性があることを示唆する第１の画像と、前記第１の画像よりも前記有利遊技状態に設定される可能性が高いことを示唆する第２の画像と、があり、
前記示唆演出には、前記第１の画像が表示されるかどうかを示唆する第１示唆演出と、前記第２の画像が表示されるかどうかを示唆する第２示唆演出と、があり、
前記第１示唆演出の実行後に前記第１の画像が表示されなかった場合には、前記示唆演出が再度行われるときがあり、
前記第２示唆演出の実行後に前記第２の画像が表示されなかった場合には、前記示唆演出が再度行われるときがあることを特徴とする。